(57)【特許請求の範囲】
【請求項１】
夜間の屋外において赤色光の照射と光反射テープにより構成された害虫の防除方法であって、対象植物の畝の列方向に沿って、複数の支柱を、互いに間隔をあけて配置し、複数の前記支柱に対して前記光反射テープをかけ渡すことで、前記光反射テープを、前記対象植物の背丈よりも高い位置に配置し、前記対象植物の背丈よりも高い位置に、前記赤色光の光源となるＬＥＤを配置し、風によって前記光反射テープを上下左右に振動させながら、前記光反射テープに前記赤色光を反射させることを特徴とする害虫の防除方法。
【請求項２】
前記ＬＥＤは、前記光反射テープの同じ高さ、または、それ以上の高さに配置することを特徴とする請求項１記載の害虫の防除方法。
【請求項３】
前記光反射テープを、前記畝の幅方向にずれた位置に配置することを特徴とする請求項１または２に記載の害虫の防除方法。
【請求項４】
前記光反射テープを、前記畝の幅方向の両外側に配置することを特徴とする請求項３に記載の害虫の防除方法。
【請求項５】
複数の前記ＬＥＤが紐状部材に所定間隔で配置されるストレートタイプの前記赤色光の光源を、複数の支柱に対してかけ渡すように配置し、前記害虫は、カメムシ類に属することを特徴とする請求項１から５のいずれか一項に記載の害虫の防除方法。
【発明の詳細な説明】
【技術分野】
【０００１】  本発明は、害虫の視認性及び選好性の低下により、野菜及び果樹類への飛来を抑制する防除方法に関する。
【背景技術】
【０００２】  市場環境の変化により、消費者から無農薬及び減農薬での栽培方法の確立が望まれている。また、農家の収入を増やすことで、農家の高齢化問題の解決につながる。この栽培方法により、現在農地全体の０．２％といわれている無農薬栽培の農地面積を飛躍的に増やすことが可能になる。【０００３】  赤色光と光反射テープを利用した防除方法
【先行技術文献】
【特許文献】
【０００４】
【特許文献１】平１−１８７７５７  対象チャバネアオカメムシ、５７０〜６２０nmの波長域を利用したチャバネアオカメムシの吸害活動を低下させる。
【０００５】
【特許文献２】特開２０１５−１７１３５６  対象アザミウマ類、日中に６００〜７００nmの赤色光を植物に照射、植物が植えられた場所に光反射シートを引くことによる防除方法がある。
【非特許文献】
【０００６】
【非特許文献１】「光源の種類と波長ベクトルの違いが昆虫に及ぼす影響」  鹿児島農総セ花き  「赤色光LEDがカメムシを誘引しにくい」と、ある。
【０００７】
【非特許文献２】「光を利用した害虫防除のための手引き」ページ１９〜２２  （独）農業・食品産業技術総合研究機構  中央農業総合研究センター  チャバネアオカメムシは、「誘引させない光源としては、偏光光源がより好ましいと考えられる」と、記載されている。また、ミナミアオカメムシは、「５８３nmの橙色光に対する選好性は低かった」と、記載されている。
【発明の概要】
【発明が解決しようとする課題】
【０００８】  赤色光を利用した忌避効果だけでは、カメムシ類を防除することが難しい。【０００９】  光反射テープ及び光反射資材単体では、夜間に効果が出ない。【００１０】  そこで、夜行性のカメムシ類を防除するために、日没から翌早朝に赤色光を照射＋光反射テープにより防除する方法を提供する。
【課題を解決するための手段】
【００１１】  光反射テープが、風を受けて上下左右に振動することで、赤色LEDの光を乱反射することにより、従来よりも防除効果を高める。
【発明の効果】
【００１２】  カメムシ類の防除は農薬の利用が当たり前とされている中で、低いコストで、広い面積の防除効果が得られる。
【図面の簡単な説明】
【００１３】
【図１】本発明にかかる光反射テープが風を受けて動く様子を表現した図
【図２】赤色LED（ガレージコレクション購入、６．３１ルクス、ピーク波長６３２ナノメートル、波長帯５８０〜６７０ナノメートル）と光反射テープの位置関係の図
【図３】赤色LED（ビバホーム製、１９．３１ルクス、ピーク波長６２７ナノメートル、波長帯５８０〜７８０ナノメートル）と光反射テープの位置関係の図
【図４】赤色LED（ケーヨーD２製、７．１１ルクス、ピーク波長６３１ナノメートル、波長帯５８０〜７８０ナノメートル）と光反射テープの位置関係の図
【図５】赤色LED（電光ホーム製、３２．３１ルクス、ピーク波長６２８ナノメートル、波長帯５７０〜６７０ナノメートル）と光反射テープの位置関係の図
【図６】赤色LED（コメリ製、１４４．１ルクス、ピーク波長６５１ナノメートル、波長帯５８０〜７８０ナノメートル）と光反射テープの位置関係の図
【図７】赤色LED（ビバホーム製、１９．３１ルクス、ピーク波長６２７ナノメートル、波長帯５８０〜７８０ナノメートル）と光反射テープの位置関係の図
【図８】赤色LED（GOODGOODS製、５２６ルクス、ピーク波長６２６ナノメートル、波長帯５８０〜７８０ナノメートル）と光反射テープの位置関係の図
【図９】赤色LEDと光反射テープの設置期間のカメムシ類の発生数
【図１０】圃場への資材散布状況及び雑草の処理
【発明を実施するための形態】
【００１４】  ピーク波長６２５〜６５１ナノメートルの複数のピーク波長の赤色LEDを検証した結果、効果が確認できた。
【００１５】  波長帯５８０〜７８０ナノメートルの波長を有する赤色LEDで検証した結果、効果が確認できた。
【００１６】  赤色LEDの点灯、消灯は、タイマー（設定：点灯１９時〜消灯翌４時）、夜間自動センサーの両方で検証を行った結果、効果が確認できた。
【００１７】  赤色LEDの形状は、ストレートタイプ（図2、図5、図6，10ｃｍ間隔でLEDが連続していて、光を垂直方向、水平方向に照射する）、ガーデンライトタイプ（図３、図４、水平方向３６０度に光を照射する）、投光器タイプ（図７、一方向に光を照射する）の３種類で検証して結果、効果を確認できた。
【００１８】  赤色LEDの電源は、AC電源、ソーラーパネルで発電して蓄電する方法で検証した結果、効果が確認できた。
【００１９】  光反射テープは、支柱の両端を固定する。両端以外の中間では、支柱に光反射テープを結ぶ、ひと巻きするなど、地面に下がってこないようにする。
【００２０】  支柱の間隔は、３〜５メートル程度などの異なる間隔で検証した結果、光反射テープが振動することが確認できた。光反射テープを振る際は、弛んだ状態でも、ピンと張った状態でも風速１メートル毎秒以上で上下左右に振動する。目視では、静隠（地上気象観測法では風速０．２ｍ毎秒以下の状態）では振動していないように見えるが、虫の目には振動して見えている可能性がある。
【００２１】  赤色ＬＥＤと光反射テープの距離は、１０ｃｍ程度の至近距離から、４ｍ離れた位置でも効果があった。
【００２２】  １番小さい照度が、７．１１ルクス（ケーヨーＤ２製）で、光反射テープまで１番遠い距離が４ｍの条件下で効果がありました。
【００２３】  本発明を実施するためには、赤色ＬＥＤのピーク波長６２５〜６５１ナノメートルの間、波長帯５８０〜７８０ｍの間、照度７．１１ルクス以上で、赤色ＬＥＤと光反射テープとの距離４ｍ以内を目安として行う。
【符号の説明】
【００２４】１    光反射テープ（三京化成工業株式会社、サンビーム、巾１１mm×長さ９０m）２    支柱（長さ８８ｃｍ）３    赤色ＬＥＤ（電源：ソーラーパネル、ＬＥＤ：ガレージコレクション購入）４    赤色ＬＥＤ（電源：ソーラーパネル、ＬＥＤ：ビバホーム製、赤色セロハンを利用して赤色光を調色）５    赤色ＬＥＤ（電源：ソーラーパネル、ＬＥＤ：ケーヨーＤ２製、赤色セロハンを利用して赤色光を調色）６    赤色ＬＥＤ（電源：ＡＣ、ＬＥＤ：電光ホーム製）７    赤色ＬＥＤ（電源：ＡＣ、ＬＥＤ：コメリ製、赤色セロハンを利用して赤色光を調色）８    赤色ＬＥＤ（電源：ソーラーパネル、ＬＥＤ：ＧＯＯＤＧＯＯＤＳ製、赤色セロハンを利用して赤色光を調色）９    ソーラーパネル及び蓄電設備１０  ＡＣ電源１１  不織布１２  大豆「つるの子大豆」１３  小豆「土用小豆」１４  黒豆１５  サツマイモ「シルクスイート」１６  サツマイモ「紅はるか」１７  黒ゴマ１８  トマト「ぷるん」１９  からし菜２０  落花生２１  スペアミント２２  白ごま２３  シャインマスカット２４  ラズベリー２５  ブラックラズベリー２６  桃「白桃」２７  桔梗２８  穴をあけた２リットルペットボトルに、木酢液１００倍希釈液の保水材を混ぜたもの。２０１９年５月３０日に設置、２０１９年８月２日に乾いたため終了。
【図１】
0006954668.tif 000002
【図２】
0006954668.tif 000003
【図３】
0006954668.tif 000004
【図４】
0006954668.tif 000005
【図５】
0006954668.tif 000006
【図６】
0006954668.tif 000007
【図７】
0006954668.tif 000008
【図８】
0006954668.tif 000009
【図９】
0006954668.tif 000010
【図１０】
0006954668.tif 000011